(57)【要約】【課題】携帯端末などの小型電子機器の小型化を図りつつ、低周波から高周波のＰＷＭ信号を利用してＬＥＤの光量を調整することができるＬＥＤ調光装置、ＬＥＤ調光方法、ＬＥＤ調光システムを提供する。【解決手段】携帯端末の内部にはＬＥＤ調光システムが設けられている。このＬＥＤ調光システムはＬＥＤ調光装置を備えている。このＬＥＤ調光装置は、基準電圧源からの供給信号をＰＷＭ信号のパルス幅に応じてアナログ信号に変換する平滑回路１０を備えている。この平滑回路１０は、アナログ信号の電流値および電圧値を調整するための第２抵抗１１１およびコンデンサ１１２を備えている。第２抵抗１１１およびコンデンサ１１２は、平滑回路本体１００の端子１１０に対して並列に接続してＬＥＤ調光装置の外部に配置されている。【選択図】図３
2015041588.tif 000002
【特許請求の範囲】
【請求項１】
基準電圧源からの供給信号をＰＷＭ信号のパルス幅に応じて変換したアナログ信号を使用してＬＥＤの光量を調整するＬＥＤ調光装置であって、
前記アナログ信号の電流値または電圧値を調整する調整手段が、当該ＬＥＤ調光装置に設けられた端子に接続され、かつ当該ＬＥＤ調光装置の外部に配置されており、当該調整手段は、抵抗およびコンデンサで構成され、前記抵抗および前記コンデンサは、それぞれ前記端子に対して並列に接続されていることを特徴とするＬＥＤ調光装置。
【請求項２】
請求項１に記載のＬＥＤ調光装置において、
前記供給信号の電圧を定電圧に制御する定電圧制御手段を備え、当該定電圧に制御された供給信号を前記アナログ信号の変換に使用することを特徴とするＬＥＤ調光装置。
【請求項３】
基準電圧源からの供給信号をＰＷＭ信号のパルス幅に応じて変換したアナログ信号を使用してＬＥＤの光量を調整するＬＥＤ調光方法であって、
前記供給信号の電圧を定電圧に制御し、当該定電圧に制御した供給信号を前記アナログ信号の変換に使用することを特徴とするＬＥＤ調光方法。
【請求項４】
基準電圧源からの供給信号をＰＷＭ信号のパルス幅に応じて変換したアナログ信号を使用してＬＥＤの光量を調整するＬＥＤ調光装置と、前記アナログ信号の電流値または電圧値を調整する調整手段とを備えるＬＥＤ調光システムであって、
前記調整手段は、抵抗およびコンデンサで構成され、前記抵抗および前記コンデンサは、それぞれ前記端子に対して並列に接続されていることを特徴とするＬＥＤ調光システム。
【発明の詳細な説明】
【技術分野】
【０００１】
本発明は、小型電子機器、例えば、携帯電話やＰＤＡ等の携帯端末において液晶画面のバックライト等に使用されるＬＥＤの光量を調整するＬＥＤ調光装置、ＬＥＤ調光方法、ＬＥＤ調光システムに関する。
【背景技術】
【０００２】
近年の小型電子機器、例えば携帯電話やＰＤＡ(Personal Digital Assistance)等の携帯端末には、液晶画面のバックライトにＬＥＤ(Light Emitting Diode)が使用されている。
【０００３】
このＬＥＤの光量の調整には、ＰＷＭ（Pulse Width Modulation）制御を利用したＬＥＤ調光装置が使用されている（例えば特許文献１参照）。
【０００４】
一般的に、ＬＥＤ調光装置は携帯端末の内部に設けられている。さらに、このＬＥＤ調光装置は、基準電圧源からの供給信号をＰＷＭ信号のパルス幅に応じてアナログ信号に変換する平滑回路を備えている。調光装置は、このアナログ信号の１周期あたりのＯＮ時間（パルス幅）が変化することによりＬＥＤの光量を調整している。
【０００５】
また、平滑回路は、抵抗およびコンデンサを備えており、ＬＥＤの光量を安定して調整する役割を果たしている。
【発明の概要】
【発明が解決しようとする課題】
【０００６】
しかしながら、低周波ＰＷＭ信号から変換したアナログ信号の電圧を平滑化する場合には、高周波ＰＷＭ信号の場合に比べて抵抗とコンデンサの容量を大きくする必要がある。そのため、抵抗とコンデンサのサイズが大きくなる。
【０００７】
したがって、端末内部（製品内部）におけるＬＥＤ調光装置の占有面積が大きくなり、他の部品の配置の自由度が制限されてしまう。その結果、携帯端末のサイズが大きくなるおそれがあり、市場で要求されている携帯端末の小型化に十分に応えることができない問題が生じる。
【０００８】
本発明は、このような従来の課題に鑑みてなされたものであり、携帯端末などの小型電子機器の小型化を図りつつ、低周波から高周波のＰＷＭ信号を利用してＬＥＤの光量を調整することができるＬＥＤ調光装置、ＬＥＤ調光方法、ＬＥＤ調光システムを提供することを目的とする。
【課題を解決するための手段】
【０００９】
本発明者等は、鋭意研究の結果、前記課題を解決するために以下のようなＬＥＤ調光装置、ＬＥＤ調光方法、ＬＥＤ調光システムを採用した。
【００１０】
本発明のＬＥＤ調光装置は、基準電圧源からの供給信号をＰＷＭ信号のパルス幅に応じて変換したアナログ信号を使用してＬＥＤの光量を調整するＬＥＤ調光装置であって、
前記アナログ信号の電流値または電圧値を調整する調整手段が、当該ＬＥＤ調光装置に設けられた端子に接続され、かつ当該ＬＥＤ調光装置の外部に配置されており、当該調整手段は、抵抗およびコンデンサで構成され、前記抵抗および前記コンデンサは、それぞれ前記端子に対して並列に接続されていることを特徴とする。
【発明の効果】
【００１１】
本発明のＬＥＤ調光装置では、抵抗およびコンデンサを、ＬＥＤ調光装置に設けられた端子に対して並列に接続し、かつＬＥＤ調光装置の外部に配置するようにした。
【００１２】
したがって、サイズの大きい抵抗とコンデンサを使用しても、他の部品の配置の自由度の制限が抑えられる。よって、本発明のＬＥＤ調光装置は、小型電子機器の小型化を図りつつ、低周波から高周波のＰＷＭ信号を利用してＬＥＤの光量を調整することができる。
【図面の簡単な説明】
【００１３】
【図１】本発明の一実施の形態を示すＬＥＤ調光システムの回路図である。
【図２】同実施の形態のＬＥＤ調光装置を構成する定電圧回路の回路図である。
【図３】同実施の形態のＬＥＤ調光装置を構成する平滑回路の回路図である。
【図４】同実施の形態で高周波のＰＷＭ信号とアナログ信号の波形を示す図である。
【図５】同実施の形態で低周波のＰＷＭ信号とアナログ信号の波形を示す図である。
【発明を実施するための形態】
【００１４】
以下、本発明の実施の形態を図にしたがって説明する。
【００１５】
図１は、本発明の一実施の形態を示すＬＥＤ調光システム１の回路図である。最初に、ＬＥＤ調光システム１の全体的な構成を説明する。このＬＥＤ調光システム１は、小型電子機器、例えば、携帯電話やＰＤＡ等の携帯端末（図示せず）の内部に設けられており、液晶画面（図示せず）のバックライトとして用いられる。
【００１６】
このＬＥＤ調光システム１は、昇圧コンバータ２と、昇圧コンバータ２に接続したＬＥＤ光源３と、ＬＥＤ光源３および昇圧コンバータ２に接続したＬＥＤ調光装置４とを備えている。
【００１７】
昇圧コンバータ２は、電源から供給される入力電圧信号の電圧ＶＩＮを上げる回路である。この昇圧コンバータ２は、インダクタ２１と、昇圧コンバータ用トランジスタ２２（ｎＭＯＳトランジスタ）と、ショットキーダイオード２３とを備えている。
【００１８】
インダクタ２１の入力側は電源に接続されている。インダクタ２１の出力側は、昇圧コンバータ用トランジスタ２２のドレインに接続されている。昇圧コンバータ用トランジスタ２２のゲートは、ＬＥＤ調光装置４の出力側に接続されている。昇圧コンバータ用トランジスタ２２のソースは接地電位ＧＮＤに接続されている。
【００１９】
ショットキーダイオード２３の入力側は、インダクタ２１と昇圧コンバータ用トランジスタ２２との間に接続されている。ショットキーダイオード２３の出力側は、ＬＥＤ光源３のアノードに接続されている。
【００２０】
ＬＥＤ光源３は、液晶画面を実際に照らすものである。このＬＥＤ光源３は、複数の発光ダイオード群３１を備えている。これらの発光ダイオード群３１は、アノードがショットキーダイオード２３の出力側にＬＥＤ光源用接続線３０を介して並列に接続され、カソードがＬＥＤ調光装置４の入力側に接続されている。また、各発光ダイオード群３１は、複数の発光ダイオード３ａが直列に接続されて構成されている。
【００２１】
ＬＥＤ調光装置４は、ＬＥＤ光源３の光量を調整するものである。このＬＥＤ調光装置４は、調光装置本体５と、ＬＥＤ光源３のカソードの電圧を制御する電圧制御装置６とを備えている。
【００２２】
調光装置本体５は、基準電圧回路７と、ＰＷＭ信号発生回路８と、定電圧回路９と、平滑回路１０と、電圧設定回路１１と、ＬＥＤ駆動回路１２とを備えている。
【００２３】
基準電圧回路７の出力側は、定電圧回路９の入力側に接続されている。この基準電圧回路７は、基準電圧信号を生成して定電圧回路９に入力するように構成されている。
【００２４】
ＰＷＭ信号発生回路８の出力側は、平滑回路１０の入力側に接続されている。このＰＷＭ信号発生回路８は、ＰＷＭ信号を発生して平滑回路１０に入力するように構成されている。
【００２５】
定電圧回路９の入力側は、基準電圧源（図示せず）および基準電圧回路７の出力側に接続されている。定電圧回路９の出力側は、平滑回路１０の入力側に接続されている。この定電圧回路９は、基準電圧源から供給される供給信号（電圧信号）の電圧を、基準電圧回路７からの基準電圧信号を利用して定電圧に制御する。そして、定電圧に制御した当該供給信号を平滑回路１０に入力するように構成されている。また、この定電圧回路９は、本発明の定電圧制御手段を構成している。
【００２６】
平滑回路１０の入力側は、定電圧回路９およびＰＷＭ信号発生回路８の出力側に接続されている。平滑回路１０の出力側は、電圧設定回路１１の入力側に接続されている。この平滑回路１０は、定電圧回路９からの供給信号を、ＰＷＭ信号発生回路８から入力されるＰＷＭ信号のパルス幅に応じてアナログ信号に変換して電圧設定回路１１に入力する。さらに、この平滑回路１０は、アナログ信号の電圧を、ＰＷＭ信号を利用して平滑化するように構成されている。
【００２７】
電圧設定回路１１の入力側は、平滑回路１０の出力側に接続されている。電圧設定回路１１の出力側は、ＬＥＤ駆動回路１２の入力側に接続されている。この電圧設定回路１１は、平滑回路１０から入力されるアナログ信号の電圧を所定の電圧に設定してＬＥＤ駆動回路１２に入力するように構成されている。
【００２８】
ＬＥＤ駆動回路１２の入力側は、電圧設定回路１１の出力側に接続されている。ＬＥＤ駆動回路１２の出力側は、抵抗Ｒを介して接地電位ＧＮＤに接続されている。このＬＥＤ駆動回路１２は、電圧設定回路１１から入力されるアナログ信号でＬＥＤを駆動するように構成されている。
【００２９】
このＬＥＤ駆動回路１２の具体的な構成を説明する。このＬＥＤ駆動回路１２は、複数の発光ダイオード群３１に対応して、電圧設定回路１１の入力側にＬＥＤ駆動回路用接続線１３を介して並列に接続された複数の駆動部１２ａを備えている。
【００３０】
各駆動部１２ａは、ＬＥＤ駆動回路用接続線１３に非反転入力端子（＋）が接続されたオペアンプ１２ｂと、オペアンプ１２ｂの出力端子にゲートが接続された駆動用トランジスタ１２ｃ（ｎＭＯＳトランジスタ）とを備えている。
【００３１】
駆動用トランジスタ１２ｃのドレインは、対応する発光ダイオード群３１のカソードに接続されている。駆動用トランジスタ１２ｃのソースは抵抗Ｒを介して接地電位ＧＮＤに接続されている。また、駆動用トランジスタ１２ｃのソースは、オペアンプ１２ｂの反転入力端子（−）に接続されている。
【００３２】
各オペアンプ１２ｂは、電圧設定回路１１から入力されるアナログ信号に基づき制御信号を生成して、各駆動用トランジスタ１２ｃのゲートに送るように構成されている。
【００３３】
電圧制御装置６は、前述の基準電圧回路７と、セレクト回路１４と、誤差増幅回路１５（オペアンプ）と、鋸波発生回路１６と、ＰＷＭ制御コンバータ１７（オペアンプ）と、ＮＯＴ回路１８とを備えている。
【００３４】
セレクト回路１４の入力側は、各発光ダイオード群３１のカソードに接続されている。セレクト回路１４の出力側は、誤差増幅回路１５の反転入力端子（−）に接続されている。このセレクト回路１４は、各発光ダイオード群３１のカソードから入力される電圧の中から最も低い電圧をセレクトし、セレクトした電圧のフォードバック信号を誤差増幅回路１５に入力するように構成されている。
【００３５】
基準電圧回路７の出力側は、前述の定電圧回路９の他に誤差増幅回路１５の非反転入力端子（＋）に接続されている。この基準電圧回路７は、基準電圧信号を生成して誤差増幅回路１５に入力するように構成されている。
【００３６】
誤差増幅回路１５の非反転入力端子（＋）には基準電圧回路７の出力側が接続され、反転入力端子（−）にはセレクト回路１４の出力側が接続されている。誤差増幅回路１５の出力端子は、ＰＷＭ制御コンバータ１７の非反転入力端子（＋）に接続されている。この誤差増幅回路１５は、セレクト回路１４からのフィードバック信号の電圧と、基準電圧回路７からの基準電圧との誤差を増幅して、ＰＷＭ制御コンバータ１７に制御信号を入力するように構成されている。
【００３７】
鋸波発生回路１６の出力側は、ＰＷＭ制御コンバータ１７の反転入力端子（−）に接続されている。この鋸波発生回路１６は、鋸波信号を発生してＰＷＭ制御コンバータ１７に入力するように構成されている。
【００３８】
ＰＷＭ制御コンバータ１７の反転入力端子（−）には鋸波発生回路１６の出力側が接続され、非反転入力端子（＋）には誤差増幅回路１５の出力端子が接続されている。ＰＷＭ制御コンバータ１７の出力端子は、ＮＯＴ回路１８の入力端子に接続し、ＮＯＴ回路１８の出力端子は、昇圧コンバータ用トランジスタ２２のゲートに接続されている。
【００３９】
ＰＷＭ制御コンバータ１７は、誤差増幅回路１５からの制御信号と鋸波発生回路１６からの鋸波信号とに基づき矩形波のＰＷＭ制御信号を生成し、ＮＯＴ回路１８を介して昇圧コンバータ用トランジスタ２２のゲートに入力するように構成されている。
【００４０】
次に、以上のように構成されているＬＥＤ調光システム１の全体的な動作を説明する。電圧制御装置６は、ＰＷＭ制御コンバータ１７で生成したＰＷＭ制御信号を昇圧コンバータ用トランジスタ２２のゲートに入力する。すると昇圧コンバータ用トランジスタ２２がＯＮにされ、インダクタ２１により電圧ＶＩＮが上げられている入力電圧信号がＬＥＤ光源３に入力される。
【００４１】
これに対し調光装置本体５では、基準電圧源からの供給信号を定電圧回路９で定電圧に制御して平滑回路１０に入力する。平滑回路１０では、定電圧回路９からの供給信号をアナログ信号に変換し、電圧設定回路１１を介してＬＥＤ駆動回路１２の各オペアンプ１２ｂに入力する。
【００４２】
各オペアンプ１２ｂでは、電圧設定回路１１からのアナログ信号に基づき制御信号を生成し、各駆動用トランジスタ１２ｃのゲートに入力する。これによりＬＥＤ光源３は、アナログ信号の１周期あたりのＯＮ時間（パルス幅）が変化することにより光量が調整される。
【００４３】
また、ＬＥＤ調光システム１は、ＬＥＤ駆動回路１２で定電流を流すために、電圧制御装置６を利用して、各発光ダイオード群３１のカソードの電圧を常にＬＥＤ駆動回路１２の各駆動用トランジスタ１２ｃの飽和電圧以上に制御する。
【００４４】
具体的には、セレクト回路１４において各発光ダイオード群３１のカソードの電圧の中で最も低い電圧をセレクトし、セレクトした電圧のフィードバック信号を誤差増幅回路１５に出力する。誤差増幅回路１５では、セレクト回路１４からのフィードバック信号の電圧と基準電圧回路７からの基準電圧信号の電圧との誤差を増幅して制御信号を生成し、ＰＷＭ制御コンバータ１７に入力する。
【００４５】
ＰＷＭ制御コンバータ１７では、誤差増幅回路１５からの制御信号と鋸波発生回路１６からの鋸波信号に基づいて矩形波のＰＷＭ制御信号を生成して出力する。ＰＷＭ制御コンバータ１７から出力されたＰＷＭ制御信号は、ＮＯＴ回路１８を介して昇圧コンバータ用トランジスタ２２のゲートに入力される。これにより昇圧コンバータ用トランジスタ２２がＯＮにされ、電圧ＶＩＮが上げられている入力電圧信号がＬＥＤ光源３に入力される。
【００４６】
このように電圧制御装置６は、昇圧コンバータ２とＬＥＤ光源３との間で負帰還ループを形成し、この負帰還ループにより、ＬＥＤ光源３をＬＥＤ駆動回路１２の各駆動用トランジスタ１２ｃの飽和電圧以上で動作するように制御する。
【００４７】
図２は、定電圧回路９の回路図である。この定電圧回路９は、前述したように、基準電圧源からの供給信号の電圧を定電圧に制御し、定電圧に制御した当該供給信号を平滑回路１０に入力するものである。
【００４８】
定電圧回路９の構成を具体的に説明する。この定電圧回路９は、２つの入力端子（基準電圧源信号用入力端子９１、基準電圧信号用入力端子９２）と、トランジスタ９３（ｎＭＯＳトランジスタ）と、可変抵抗９４と、オペアンプ９５と、基準電圧信号用出力端子９６とを備えている。
【００４９】
基準電圧源信号用入力端子９１には、基準電圧源（図示せず）が接続されている。この基準電圧源信号用入力端子９１は、トランジスタ９３のドレインに接続されている。トランジスタ９３のソースは、可変抵抗９４を介して接地電位ＧＮＤに接続されている。トランジスタ９３のソースと可変抵抗９４との間には基準電圧信号用出力端子９６が接続されている。
【００５０】
基準電圧信号用入力端子９２には、基準電圧回路７の出力側が接続されている。この基準電圧信号用入力端子９２は、オペアンプ９５の非反転入力端子（＋）に接続されている。オペアンプ９５の反転入力端子（−）は、可変抵抗９４に接続されている。
【００５１】
以上のように構成されている定電圧回路９は、オペアンプ９５に、基準電圧回路７から基準電圧信号Ｖ０が入力されるとともに、トランジスタ９３のソース電圧（出力電圧）を可変抵抗９４で分圧したフィードバック信号（ＦＢ信号）が入力される。
【００５２】
オペアンプ９５は、フィードバック信号の電圧が、基準電圧信号Ｖ０の電圧に等しくなるようにトランジスタ９３を制御する。これにより、基準電圧源からの供給信号は定電圧に制御され、基準電圧信号用出力端子９６から基準電圧信号Ｖ１として出力される。
【００５３】
図３は、平滑回路１０の回路図である。この平滑回路１０は、前述したように、定電圧回路９からの基準電圧信号Ｖ１を、ＰＷＭ信号発生回路８からのＰＷＭ信号のパルス幅に応じてアナログ信号Ｖ２に変換して電圧設定回路１１に入力するものである。さらに、この平滑回路１０は、アナログ信号Ｖ２を、ＰＷＭ信号を利用して平滑化するものである。
【００５４】
平滑回路１０の構成を具体的に説明する。この平滑回路１０は、平滑回路本体１００と、平滑回路本体１００に設けられた端子１１０に接続された第２抵抗１１１およびコンデンサ１１２とを備えている。
【００５５】
平滑回路本体１００は、第１入力端子１０１および第２入力端子１０２、第１トランジスタ１０３（ｐＭＯＳトランジスタ）および第２トランジスタ１０４（ｎＭＯＳトランジスタ）、第１抵抗１０５、出力端子１０６を備えている。
【００５６】
第１入力端子１０１には、定電圧回路９の基準電圧信号用出力端子９６（図２参照）が接続されている。この第１入力端子１０１は、第１トランジスタ１０３のソースに接続されている。第１トランジスタ１０３のドレインは、第２トランジスタ１０４のドレインに接続されている。第２トランジスタ１０４のソースは接地電位ＧＮＤに接続されている。
【００５７】
第１トランジスタ１０３および第２トランジスタ１０４のゲートは、第２入力端子１０２に接続されている。この第２入力端子１０２には、ＰＷＭ信号発生回路８の出力側が接続されている。
【００５８】
第１トランジスタ１０３のドレインと第２トランジスタ１０４のドレインとの間には、第１抵抗１０５の一端が接続されている。第１抵抗１０５の他端は、出力端子１０６に接続されている。
【００５９】
第１抵抗１０５の他端と出力端子１０６との間には端子１１０が接続されている。この端子１１０には、第２抵抗１１１およびコンデンサ１１２が並列に接続されている。具体的に説明すると、端子１１０には、第２抵抗１１１の一端が接続されている。これにより第２抵抗１１１は、平滑回路本体１００の外部（ＬＥＤ調光装置４の外部）に配置されている。
【００６０】
第２抵抗１１１の他端は、接地電位ＧＮＤに接続されている。端子１１０と第２抵抗１１１との間には、コンデンサ１１２の一端が接続されている。これによりコンデンサ１１２は、平滑回路本体１００の外部（ＬＥＤ調光装置４の外部）に配置されている。コンデンサ１１２の他端は、接地電位ＧＮＤに接続されている。また、第２抵抗１１１およびコンデンサ１１２は、アナログ信号Ｖ２の電流値、電圧値を調整する（アナログ信号の電圧の平滑化と最大電流の設定をする）調整手段を構成している。
【００６１】
次に、平滑回路１０の動作を説明する。ＰＷＭ信号がＬレベルのときには、第１トランジスタ１０３がＯＮになり、第２トランジスタ１０４がＯＦＦになる。すると、基準電圧信号Ｖ１は、第１抵抗１０５を通ってＰＷＭ信号のパルス幅に応じたアナログ信号Ｖ２に変換される。このアナログ信号Ｖ２は、出力端子１０６から出力されるとともにコンデンサ１１２に送られて充電される。
【００６２】
ＰＷＭ信号がＨレベルのときには、第１トランジスタ１０３がＯＦＦになり、第２トランジスタ１０４がＯＮになる。すると、コンデンサ１１２に蓄えられているアナログ信号Ｖ２の電荷は第２抵抗１１１を通って放電される。
【００６３】
このように平滑回路１０では、アナログ信号Ｖ２に対し、第２抵抗１１１とコンデンサ１１２を利用して充電と放電とを繰り返すことにより、アナログ信号Ｖ２の電圧を平滑化する。
【００６４】
次に、アナログ信号Ｖ２の電圧について説明する。ＰＷＭ基準電圧信号Ｖ１の電圧＝V1aとした場合、ＰＷＭ信号のＯＮ時間をtonとすると、tonの間に充電される充電電圧V2nは、以下の式（１）で決められる。
V2n=V2n-1+(V1*R2/(R1+R2)-V2n-1)*[1-exp(-ton/C1R1)]・・・・・・・・・・（式１）
【００６５】
式（１）において、V2n-1＝ton前の電圧、R1＝第１抵抗１０５の抵抗値、R2＝第２抵抗１１１の抵抗値、C＝コンデンサ１１２の容量である。また、簡略化のため、第１トランジスタ１０３のＯＮ時における抵抗値は第１抵抗１０５の抵抗値R1に比べて十分小さいものとする。
【００６６】
ＰＷＭ信号のＯＦＦ時間をtoffとした場合、放電される電圧V2n+1は、以下の式（２）で決められる。
V2n+1=V2n*[-exp(-toff/C1R1)]・・・・・・・・・・・・・・・・・・・・・（式２）
【００６７】
定常点ではV2n+1=V2n-1になるので、V2nについて解くと以下の式（３）になる。
V2n=V1*R2/(R1+R2)*(1-exp(-ton/C1R1))/(1+exp((-ton-toff)/C1R1))・・・・（式３）
【００６８】
コンデンサ１１２の容量Cが大きい場合には、式（３）は近似的に以下の式（４）になり、アナログ信号Ｖ２の電圧の波形は図３に示す様になる。
V2n≒V1*R2/(R1+R2)*ton/(ton+toff)・・・・・・・・・・・・・・・・・・（式４）
【００６９】
コンデンサ１１２の容量Cが小さい場合には、アナログ信号Ｖ２の電圧の波形は、式（３）から図４に示す様になる。
【００７０】
以上のように本実施の形態のＬＥＤ調光装置４（ＬＥＤ調光システム１）では、第２抵抗１１１およびコンデンサ１１２を、平滑回路本体１００の端子１１０に対して並列に接続して平滑回路本体１００の外部（ＬＥＤ調光装置４の外部）に配置されるようにした。
【００７１】
したがって、携帯端末の内部では、平滑回路１０が端子１１０を介して平滑回路本体１００と第２抵抗１１１およびコンデンサ１１２とに分散されて配置される。したがって、サイズの大きい（容量の大きい）抵抗とコンデンサを使用しても、他の部品の配置の自由度の制限が抑えられる。よって、本実施の形態のＬＥＤ調光装置４は、携帯端末の小型化を図りつつ、低周波から高周波のＰＷＭ信号を利用してＬＥＤ３ａの光量を調整することができる。
【００７２】
また、本実施の形態のＬＥＤ調光装置４では、第２抵抗１１１の抵抗値R2を任意に設定することにより、ＬＥＤ３ａの最大光量を任意に設定することができる。
【００７３】
また、本実施の形態のＬＥＤ調光装置４では、平滑回路１０の入力側に定電圧回路９を設けた。さらに、定電圧回路９は、基準電圧源からの供給信号の電圧を定電圧に制御し、定電圧に制御した当該供給信号（基準電圧信号Ｖ１）を平滑回路１０に入力してアナログ信号Ｖ２の変換に使用するようにした。
【００７４】
これにより、平滑回路１０では、定電圧に制御された供給信号を処理するので、定電圧に制御されていない供給信号を処理する場合に比べて、電圧がより平滑化されたアナログ信号Ｖ２を出力することが可能になる。
【００７５】
言い換えると、本実施の形態のＬＥＤ調光方法では、供給信号の電圧を定電圧に制御し、当該定電圧に制御した供給信号をアナログ信号Ｖ２に変換するようにした。したがって、定電圧に制御されていない供給信号を処理する場合に比べて、電圧がより平滑化されたアナログ信号Ｖ２を出力することが可能になる。
【００７６】
よって、本実施の形態のＬＥＤ調光装置４（ＬＥＤ調光システム１）およびＬＥＤ調光方法は、ＬＥＤ３ａの光量を安定して調整することができる。
【００７７】
以上、本発明に係る実施の形態を例示したが、この実施の形態は本発明の内容を限定するものではない。また、本発明の請求項の範囲を逸脱しない範囲であれば、各種の変更等は可能である。
【符号の説明】
【００７８】
１    ＬＥＤ調光システム
３ａ    ＬＥＤ
４    ＬＥＤ調光装置
９    定電圧回路（定電圧制御手段）
１０    平滑回路
１００    平滑回路本体
１１０    端子
１１１    第２抵抗（抵抗）
１１２    コンデンサ
Ｖ１    基準電圧信号（基準電圧源からの供給信号）
Ｖ２    アナログ信号
【先行技術文献】
【特許文献】
【００７９】
【特許文献１】特開２０１１−０２８８６２号公報
【図１】
2015041588.tif 000003
【図２】
2015041588.tif 000004
【図３】
2015041588.tif 000005
【図４】
2015041588.tif 000006
【図５】
2015041588.tif 000007